(57)【要約】  駆動部（１０）と、駆動部（１０）の動力によって駆動する作業部（２０）と、駆動部（１０）の動力を作業部（２０）に伝達する軸（３０）と、駆動部（１０）と作業部（２０）との間に配置され、内部に軸（３０）が挿通する筒部（４０）と、ハンドル支持部（５１）を有するフローティングボックス（５０）と、ハンドル支持部（５１）に支持されたハンドル（９０）と、を備える刈払機（１）であって、刈払機（１）は、筒部（４０）に設けられた筒部側嵌合部（４１ａ、４２ａ）に嵌合するとともに、フローティングボックス（５０）に設けられたボックス側嵌合部（５２）に嵌合する振動吸収部材（６０）を備える。
2019187147.tif 000002
【特許請求の範囲】
【請求項１】
駆動部と、
前記駆動部の動力によって駆動する作業部と、
前記駆動部の動力を作業部に伝達する軸と、
前記駆動部と前記作業部との間に配置され、内部に前記軸が挿通する筒部と、
ハンドル支持部を有するフローティングボックスと、
前記ハンドル支持部に支持されたハンドルと、を備える刈払機であって、
前記刈払機は、前記筒部に設けられた筒部側嵌合部に嵌合するとともに、前記フローティングボックスに設けられたボックス側嵌合部に嵌合する振動吸収部材を備え、
前記振動吸収部材は、
内周面が前記筒部側嵌合部と当接する内周部と、
外周面が前記ボックス側嵌合部と当接する外周部と、
前記内周部と前記外周部をつなぐ複数のリブと、
前記外周部から前記内周部に向かって突出し、前記内周部と隙間部を介して対向する一対のストッパー部と、を有し、
前記一対のストッパー部は、軸方向からみて、前記ハンドル支持部の中心と前記軸の中心を通る上下面と直交する位置に配置され、
前記複数のリブは、前記上下面の両側に、且つ前記上下面からずれた位置に配置される、刈払機。
【請求項２】
請求項１に記載の刈払機であって、
前記複数のリブは、
前記上下面を挟んで前記軸の中心よりも上方に設けられた一対の上側リブと、
前記上下面を挟んで前記軸の中心よりも下方に設けられた一対の下側リブと、を備え、
前記内周部は、前記筒部側嵌合部を囲う円環形状を有し、
前記外周部は、
前記一対の上側リブに連結された上側円弧部と、
前記一対の下側リブに連結された下側円弧部と、
前記上側円弧部の一端側と前記下側円弧部の一端側を連結する一端側連結部と、
前記上側円弧部の他端側と前記下側円弧部の他端側を連結する他端側連結部と、を備え、
前記一端側連結部及び他端側連結部が前記ボックス側嵌合部に嵌合し、
前記一対のストッパー部は、前記一端側連結部及び前記他端側連結部に設けられている、刈払機。
【請求項３】
請求項１または２に記載の刈払機であって、
前記一対のストッパー部の肉厚は、前記複数のリブの肉厚よりも大きい、刈払機。
【請求項４】
駆動部と、
前記駆動部の動力によって駆動する作業部と、
前記駆動部の動力を作業部に伝達する軸と、
前記駆動部と前記作業部との間に配置され、内部に前記軸が挿通する筒部と、
ハンドル支持部を有するフローティングボックスと、
前記ハンドル支持部に支持されたハンドルと、を備える刈払機であって、
前記刈払機は、前記筒部に設けられた筒部側嵌合部に嵌合するとともに、前記フローティングボックスに設けられたボックス側嵌合部に嵌合する振動吸収部材を備え、
前記ボックス側嵌合部の内周面と、前記振動吸収部材の外周面は、ともに前記軸と直交する方向から見て、テーパ形状を有する、刈払機。
【請求項５】
請求項４に記載の刈払機であって、
前記振動吸収部材には、軸方向において一方の端面に、リップ部が設けられた、刈払機。
【請求項６】
請求項１から５のいずれか一項に記載の刈払機であって、
前記ハンドル支持部の中心と前記軸の中心を通る上下面において、前記ボックス側嵌合部と前記振動吸収部材との間には、所定の空隙部が設けられている、刈払機。
【請求項７】
請求項１から６のいずれか一項に記載の刈払機であって、
前記フローティングボックスは、前記ハンドル支持部と反対側に、前記軸方向に延びる把持部を有する、刈払機。
【発明の詳細な説明】
【技術分野】
【０００１】
本発明は、刈払機に関し、特に、振動吸収部材を備えた刈払機に関する。
【背景技術】
【０００２】
従来から、エンジン等の駆動部と、該駆動部の動力によって駆動する刈刃等の作業部と、駆動部の動力を伝達する軸と、駆動部と作業部との間に配置され、内部に軸が挿通する筒部と、筒部に支持されたハンドルを備える刈払機が知られている。【０００３】
この種の刈払機では、駆動部や作業部からの振動がハンドルに伝わり難くなるように構成されているものがある。例えば、特許文献１には、筒部の内部で、樹脂製ブッシュを軸に一体的に取り付けることにより、軸に発生する振動を抑制する刈払機が開示されている。
【先行技術文献】
【特許文献】
【０００４】
【特許文献１】日本国特開２００３−３１００２９号公報
【発明の概要】
【発明が解決しようとする課題】
【０００５】
しかしながら、特許文献１の刈払機では、駆動部や作業部から筒部に伝わる振動が、ハンドルに伝わるのを抑制することは困難であった。【０００６】
本発明は、駆動部や作業部から筒部に伝わる振動が、ハンドルに伝わるのを抑制することができる刈払機を提供する。
【課題を解決するための手段】
【０００７】
本発明は、
駆動部と、
前記駆動部の動力によって駆動する作業部と、
前記駆動部の動力を作業部に伝達する軸と、
前記駆動部と前記作業部との間に配置され、内部に前記軸が挿通する筒部と、
ハンドル支持部を有するフローティングボックスと、
前記ハンドル支持部に支持されたハンドルと、を備える刈払機であって、
前記刈払機は、前記筒部に設けられた筒部側嵌合部に嵌合するとともに、前記フローティングボックスに設けられたボックス側嵌合部に嵌合する振動吸収部材を備え、
前記振動吸収部材は、
内周面が前記筒部側嵌合部と当接する内周部と、
外周面が前記ボックス側嵌合部と当接する外周部と、
前記内周部と前記外周部をつなぐ複数のリブと、
前記外周部から前記内周部に向かって突出し、前記内周部と隙間部を介して対向する一対のストッパー部と、を有し、
前記一対のストッパー部は、軸方向からみて、前記ハンドル支持部の中心と前記軸の中心を通る上下面と直交する位置に配置され、
前記複数のリブは、前記上下面の両側に、且つ前記上下面からずれた位置に配置される。
【発明の効果】
【０００８】
本発明によれば、ハンドル支持部が設けられるフローティングボックスと、駆動部の動力を作業部に伝達する軸が挿通する筒部とが、振動吸収部材を介して嵌合するので、駆動部や作業部から筒部に伝わる振動がハンドルに伝わるのを抑制することができる。
【図面の簡単な説明】
【０００９】
【図１】本発明の一実施形態における刈払機を斜め上方から見た斜視図である。
【図２】図１の刈払機におけるフローティングボックス内部を、軸と直交する方向から見た側面図である。
【図３】本発明の一実施形態における振動吸収部材を斜め上方から見た斜視図である。
【図４】図３の振動吸収部材の右側面図である。
【図５】図１のＡ−Ａ断面図である。
【図６】図１のＢ−Ｂ要部断面図である。
【発明を実施するための形態】
【００１０】
以下、本発明の刈払機の一実施形態を、添付図面に基づいて説明する。
【００１１】
＜刈払機＞
図１及び図２に示すように、刈払機１は、駆動部１０と、駆動部１０の動力によって駆動する作業部２０と、駆動部１０の動力を作業部２０に伝達する軸３０と、駆動部１０と作業部２０との間に配置され、内部に軸３０が挿通する筒部４０と、ハンドル支持部５１を有するフローティングボックス５０と、ハンドル支持部５１に支持されたハンドル９０と、を備える。
【００１２】
駆動部１０の駆動源としては、例えば内燃機関を用いることができるが、特に限定されるものではない。また、作業部２０としては、例えば回転刈刃を用いることができるが、特に限定されるものではない。ハンドル９０には、作業者が作業時に把持するグリップ９１Ｌ、９１Ｒが設けられ、一方（図示例ではグリップ９１Ｒ）には、駆動部１０の動力を調整するスロットルレバー９２が設けられている。
【００１３】
駆動部１０による動力は、クラッチ１１が駆動部１０の出力軸と接続することにより動力が伝達され、クラッチ１１に伝達された動力は、筒部４０の内部に設けられた軸３０（図２参照）を介して作業部２０に伝達される。
【００１４】
以下、特に断りのない限り、説明を簡単且つ明確にするために、作業部２０側を先端側、駆動部１０側を基端側、ハンドル支持部５１が設けられている側を上方、反対側を下方、として説明する。
【００１５】
図２に示すように、筒部４０の基端側端部、すなわち、駆動部１０側端部には、第一保持部４１が設けられている。この第一保持部４１は、駆動部１０と接続しており、クラッチ１１を覆い、筒部４０の外周を取り囲むように設けられている。さらに、第一保持部４１には、軸３０と平行に先端側に向かって延びるピン形状の筒部側嵌合部４１ａが、軸３０の上下に設けられている。
【００１６】
筒部４０の基端側端部から、筒部４０の軸方向長さの３分の１程度先端側には、第二保持部４２が設けられている。この第二保持部４２は、筒部４０の外周を取り囲むように設けられている。さらに、第二保持部４２には、軸３０と平行に基端側に向かって延びるピン形状の筒部側嵌合部４２ａが、軸３０の上下に設けられている。
【００１７】
第一保持部４１と第二保持部４２に両端が挟まれるように、フローティングボックス５０が配置されている。フローティングボックス５０の先端側（第二保持部４２側）端部には、上部にハンドル支持部５１が設けられており、ハンドル支持部５１にハンドル９０が支持されている。さらに、フローティングボックス５０には、軸３０と平行に延びる孔形状のボックス側嵌合部５２が、フローティングボックス５０の軸方向両端の軸３０の上下に計４つ設けられている。
【００１８】
さらに、ボックス側嵌合部５２は、内周面５２ａが、軸３０と直交する方向から見て、フローティングボックス５０の軸方向両端から中央に向かって上下方向の距離が小さくなるような、テーパ形状を有している。
【００１９】
そして、筒部側嵌合部４１ａ及び筒部側嵌合部４２ａの外周は、それぞれ、振動吸収部材６０と嵌合しており、該振動吸収部材６０の外周は、ボックス側嵌合部５２と嵌合している。したがって、フローティングボックス５０は、振動吸収部材６０を介して、筒部４０に設けられた第一保持部４１と第二保持部４２に支持されている。
【００２０】
これにより、ハンドル支持部５１が設けられるフローティングボックス５０と、駆動部１０の動力を作業部２０に伝達する軸３０が挿通する筒部４０とが、振動吸収部材６０を介して嵌合するので、駆動部１０や作業部２０から筒部４０に伝わる振動がハンドル９０に伝わるのを抑制することができる。
【００２１】
＜振動吸収部材＞
図３に示すように、振動吸収部材６０は、内周部６１と、外周部６２と、内周部６１と外周部６２をつなぐ２本の上側リブ６３ｕｌ、６３ｕｒと２本の下側リブ６３ｄｌ、６３ｄｒと、を備える。振動吸収部材６０は、弾性材からなり、例えばゴムを用いることができるが、特に限定されるものではない。
【００２２】
内周部６１は、円環形状を有する。外周部６２は、内周部６１と同心円弧形状の上側円弧部６２ｕ及び下側円弧部６２ｄと、上側円弧部６２ｕの左側と下側円弧部６２ｄの左側を連結する左側連結部６２ｌと、上側円弧部６２ｕの右側と下側円弧部６２ｄの右側を連結する右側連結部６２ｒと、を有する。
【００２３】
左側連結部６２ｌは、内周部６１の中心軸と平行な中心軸を有する左上端円環部６２ｌｕ及び左下端円環部６２ｌｄと、左上端円環部６２ｌｕと上側円弧部６２ｕの左側を連結する左上側円弧連結部６２ｌａｕと、左下端円環部６２ｌｄと下側円弧部６２ｄの左側を連結する左下側円弧連結部６２ｌａｄと、左上端円環部６２ｌｕと左下端円環部６２ｌｄとを連結する左上下連結部６２ｌｂと、を有する。さらに、左上下連結部６２ｌｂには、内周部６１に向かって突出する左ストッパー部６４ｌが設けられている。
【００２４】
右側連結部６２ｒは、内周部６１の中心軸と平行な中心軸を有する右上端円環部６２ｒｕ及び右下端円環部６２ｒｄと、右上端円環部６２ｒｕと上側円弧部６２ｕの右側を連結する右上側円弧連結部６２ｒａｕと、右下端円環部６２ｒｄと下側円弧部６２ｄの右側を連結する右下側円弧連結部６２ｒａｄと、右上端円環部６２ｒｕと右下端円環部６２ｒｄとを連結する右上下連結部６２ｒｂと、を有する。さらに、右上下連結部６２ｒｂには、内周部６１に向かって突出する右ストッパー部６４ｒが設けられている。
【００２５】
さらに、左ストッパー部６４ｌと右ストッパー部６４ｒは、内周部６１の円環中心を通る上下面を挟んで対向する位置に設けられており、内周部６１と左ストッパー部６４ｌの間には隙間部Ｃｌが、内周部６１と右ストッパー部６４ｒの間には隙間部Ｃｒが、それぞれ設けられている。
【００２６】
上側リブ６３ｕｌ、６３ｕｒは、それぞれ、内周部６１の円環中心より上側と、外周部６２の上側円弧部６２ｕとを連結する。そして、上側リブ６３ｕｌは内周部６１の円環中心を通る上下面の左側、上側リブ６３ｕｒは、内周部６１の円環中心を通る上下面の右側に設けられており、上側リブ６３ｕｌと上側リブ６３ｕｒは、内周部６１の円環中心を通る上下面を挟んで一対となっている。
【００２７】
下側リブ６３ｄｌ、６３ｄｒは、それぞれ、内周部６１の円環中心より下側と、外周部６２の下側円弧部６２ｄとを連結する。そして、下側リブ６３ｄｌは内周部６１の円環中心を通る上下面の左側、下側リブ６３ｄｒは、内周部６１の円環中心を通る上下面の右側に設けられており、下側リブ６３ｄｌと下側リブ６３ｄｒは、内周部６１の円環中心を通る上下面を挟んで一対となっている。
【００２８】
また、左ストッパー部６４ｌと右ストッパー部６４ｒの肉厚は、上側リブ６３ｕｌ、６３ｕｒ及び下側リブ６３ｄｌ、６３ｄｒの肉厚よりも大きく構成されている。
【００２９】
さらに、左下端円環部６２ｌｄと、右上端円環部６２ｒｕの一端側（図中奥側）の端面には、リップ部６５が設けられている。リップ部６５は、それぞれ、左下端円環部６２ｌｄと、右上端円環部６２ｒｕの外周面から、円環中心の外径方向に延びる鍔形状を有する。
【００３０】
図４に示すように、振動吸収部材６０は、内周部６１の円環中心軸と直交する方向からみて、リップ部６５が設けられている一端側（図中右側）から他端側（図中左側）に向かって、上下長さが短くなるようなテーパ形状を有する。すなわち、一端側上下長さＤ１よりも、他端側上下長さＤ２が小さくなるようなテーパ形状となっている。
【００３１】
＜嵌合構造＞
図２に戻って、振動吸収部材６０は、リップ部６５が設けられている一端側がフローティングボックス５０の両端側となるように、すなわち、リップ部６５が第一保持部４１または第二保持部４２と当接するように、筒部側嵌合部４１ａ、４２ａ及びボックス側嵌合部５２に嵌合される。
【００３２】
このとき、振動吸収部材６０は、一端側の端面にリップ部６５が設けられているので、組み付け時において、振動吸収部材６０を筒部側嵌合部４１ａ、４２ａ及びボックス側嵌合部５２に嵌合する方向を容易に視認できる。また、振動吸収部材６０を誤った方向で筒部側嵌合部４１ａ、４２ａに嵌合した場合、振動吸収部材６０は、リップ部６５によってボックス側嵌合部５２に挿入できない。よって、組み付け時において、誤組を防止できる。
【００３３】
図５に示すように、振動吸収部材６０は、内周部６１が第二保持部４２の筒部側嵌合部４２ａと嵌合する。さらに、振動吸収部材６０は、外周部６２の左側連結部６２ｌと右側連結部６２ｒがボックス側嵌合部５２の内周面５２ａと当接することにより、ボックス側嵌合部５２と嵌合固定される。具体的には、外周部６２の左上端円環部６２ｌｕ、左下端円環部６２ｌｄ、左上下連結部６２ｌｂ、左ストッパー部６４ｌ、及び、右上端円環部６２ｒｕ、右下端円環部６２ｒｄ、右上下連結部６２ｒｂ、右ストッパー部６４ｒがボックス側嵌合部５２の内周面５２ａと当接する。ここで、左上端円環部６２ｌｕ及び右上端円環部６２ｒｕの上面、左下端円環部６２ｌｄ及び右下端円環部６２ｒｄの下面もボックス側嵌合部５２の内周面５２ａと当接するので、振動吸収部材６０は、上下方向及び左右方向に固定される。
【００３４】
これにより、作業者がハンドル９０を持って刈払機１を左右に振ったとき、第二保持部４２の筒部側嵌合部４２ａが振動吸収部材６０の内周部６１に左右に当接することにより、振動吸収部材６０が左右方向に一定量変形すると、内周部６１が左ストッパー部６４ｌ及び右ストッパー部６４ｒと当接し、変形が規制される。これにより、刈払機１を左右に振ったときに作業者が感じる、振動吸収部材６０の変形による違和感を低減することできる。
【００３５】
また、上側リブ６３ｕｌ、６３ｕｒ及び下側リブ６３ｄｌ、６３ｄｒは、それぞれ、円環中心を通る上下面からずれた位置に配置されるので、振動吸収部材６０の上下面方向の荷重を複数のリブに分散することができる。一般的に刈払機１は、不使用時にハンドル支持部５１を上にして載置されるが、このとき複数のリブで重力を支えることで、振動吸収部材６０の特定部位への応力集中を緩和できる。
【００３６】
一方、振動吸収部材６０の上側円弧部６２ｕ及び下側円弧部６２ｄと、ボックス側嵌合部５２の内周面５２ａとの間には、上側空隙部Ｓｕ及び下側空隙部Ｓｄが設けられている。
【００３７】
したがって、振動吸収部材６０の外周部６２は、上下方向に変形することが許容される。これにより、上側リブ６３ｕｌ、６３ｕｒ及び下側リブ６３ｄｌ、６３ｄｒにかかる応力を低減でき、また、振動がフローティングボックス５０を介してハンドル９０に伝達するのをより低減できる。
【００３８】
すなわち、振動吸収部材６０は、左側連結部６２ｌと右側連結部６２ｒでボックス側嵌合部５２と嵌合し固定され、上側円弧部６２ｕ及び下側円弧部６２ｄと、上側リブ６３ｕｌ、６３ｕｒ及び下側リブ６３ｄｌ、６３ｄｒで変形し、振動を吸収する。
【００３９】
さらに、変形を許容する上側リブ６３ｕｌ、６３ｕｒ及び下側リブ６３ｄｌ、６３ｄｒに対し、変形を規制する左ストッパー部６４ｌと右ストッパー部６４ｒの肉厚を大きくすることで、振動や衝撃を適切に減衰することができる。
【００４０】
ボックス側嵌合部５２は、内周面５２ａが、軸３０と直交する方向から見て、フローティングボックス５０の軸方向両端から中央に向かって上下方向の距離が小さくなるような、テーパ形状を有しており、振動吸収部材６０も、テーパ形状がフローティングボックス５０の軸方向両端から中央に向かって上下方向の長さが小さくなる方向に配置される。
【００４１】
これにより、組み付け時において、フローティングボックス５０のボックス側嵌合部５２に振動吸収部材６０を嵌合するのが容易となり、生産性が向上する。また、ボックス側嵌合部５２の内周面５２ａと振動吸収部材６０との空隙を均一にすることができるので、振動吸収性能が低下しない。
【００４２】
図６に示すように、フローティングボックス５０には、ハンドル支持部５１とは反対側に、フローティングボックス５０の先端側から軸３０の軸方向に延びる凸形状の２本の把持部５３ａ、５３ｂを有する。
【００４３】
これにより、作業時以外では、作業者は、２本の把持部５３ａ、５３ｂを跨ぐように手で握り、刈払機１を持って移動することができ、刈払機１の持ち運び性が向上する。
【００４４】
なお、前述した実施形態は、適宜、変形、改良、等が可能である。例えば、本実施形態では、リップ部６５は、それぞれ、左下端円環部６２ｌｄと、右上端円環部６２ｒｕの外周面から、円環中心の外径方向に延びる鍔形状を有するものとしたが、単なる突起部としてもよい、このようにすると、構造が簡素化され、製造が容易になる。また、本実施形態においては、左上下連結部６２ｌｂ及び右上下連結部６２ｒｂは上下方向に延びる形状としたが、上下方向中央部が内周部６１側に屈曲する「く」の字形状または逆「く」の字形状としてもよい。このようにすると、ボックス側嵌合部５２の内周面５２ａの形状も同形状とすることで、振動吸収部材６０は、振動によってずれが生じるのを抑制できる。
【００４５】
また、本明細書には少なくとも以下の事項が記載されている。なお、括弧内には、上記した実施形態において対応する構成要素等を示しているが、これに限定されるものではない。
【００４６】
（１）  駆動部（駆動部１０）と、
前記駆動部の動力によって駆動する作業部（作業部２０）と、
前記駆動部の動力を作業部に伝達する軸（軸３０）と、
前記駆動部と前記作業部との間に配置され、内部に前記軸が挿通する筒部（筒部４０）と、
ハンドル支持部（ハンドル支持部５１）を有するフローティングボックス（フローティングボックス５０）と、
前記ハンドル支持部に支持されたハンドル（ハンドル９０）と、を備える刈払機（刈払機１）であって、
前記刈払機は、前記筒部に設けられた筒部側嵌合部（筒部側嵌合部４１ａ、４２ａ）に嵌合するとともに、前記フローティングボックスに設けられたボックス側嵌合部（ボックス側嵌合部５２）に嵌合する振動吸収部材（振動吸収部材６０）を備え、
前記振動吸収部材は、
内周面が前記筒部側嵌合部と当接する内周部（内周部６１）と、
外周面が前記ボックス側嵌合部と当接する外周部（外周部６２）と、
前記内周部と前記外周部をつなぐ複数のリブ（上側リブ６３ｕｌ、６３ｕｒ、下側リブ６３ｄｌ、６３ｄｒ）と、
前記外周部から前記内周部に向かって突出し、前記内周部と隙間部（隙間部Ｃｌ、Ｃｒ）を介して対向する一対のストッパー部（左ストッパー部６４ｌ、右ストッパー部６４ｒ）と、を有し、
前記一対のストッパー部は、軸方向からみて、前記ハンドル支持部の中心と前記軸の中心を通る上下面と直交する位置に配置され、
前記複数のリブは、前記上下面の両側に、且つ前記上下面からずれた位置に配置される、刈払機。
【００４７】
（１）によれば、ハンドル支持部が設けられるフローティングボックスと、駆動部の動力を作業部に伝達する軸が挿通する筒部とが、振動吸収部材を介して嵌合するので、駆動部や作業部から筒部に伝わる振動がハンドルに伝わるのを抑制することができる。
また、振動吸収部材は、外周部から内周部に向かって突出し、内周部と隙間部を介して対向する一対のストッパー部が、ハンドル支持部の中心と軸の中心を通る上下面と直交する位置に配置されるので、作業者がハンドルを持って左右に刈払機をふったとき、振動吸収部材が上下面と直交する方向に一定量変形すると、内周部がストッパー部と当接し、変形が規制される。これにより刈払機を左右に振ったとき、振動吸収部材の変形による作業者の違和感を低減することできる。
また、複数のリブは、上下面の両側に、上下面からずれた位置に配置されるので、振動吸収部材の上下面方向の荷重を複数のリブに分散することができる。一般的に刈払機は、不使用時にハンドル支持部を上にして載置されるが、このとき複数のリブで重力を支えることで、振動吸収部材の特定部位への応力集中を緩和できる。
【００４８】
（２）  （１）に記載の刈払機であって、
前記複数のリブは、
前記上下面を挟んで前記軸の中心よりも上方に設けられた一対の上側リブ（上側リブ６３ｕｌ、６３ｕｒ）と、
前記上下面を挟んで前記軸の中心よりも下方に設けられた一対の下側リブ（下側リブ６３ｄｌ、６３ｄｒ）と、を備え、
前記内周部は、前記筒部側嵌合部を囲う円環形状を有し、
前記外周部は、
前記一対の上側リブに連結された上側円弧部（上側円弧部６２ｕ）と、
前記一対の下側リブに連結された下側円弧部（下側円弧部６２ｄ）と、
前記上側円弧部の一端側と前記下側円弧部の一端側を連結する一端側連結部（左側連結部６２ｌ）と、
前記上側円弧部の他端側と前記下側円弧部の他端側を連結する他端側連結部（右側連結部６２ｒ）と、を備え、
前記一端側連結部及び他端側連結部が前記ボックス側嵌合部に嵌合し、
前記一対のストッパー部は、前記一端側連結部及び前記他端側連結部に設けられている、刈払機。
【００４９】
（２）によれば、振動吸収部材は、左側連結部と右側連結部でボックス側嵌合部と嵌合し、固定され、上側円弧部及び下側円弧部と上側リブ及び下側リブで変形し、振動を吸収することができる。
【００５０】
（３）  （１）または（２）に記載の刈払機であって、
前記一対のストッパー部の肉厚は、前記複数のリブの肉厚よりも大きい、刈払機。
【００５１】
（３）によれば、変形を許容する複数のリブに対し、変形を規制する一対のストッパー部の肉厚を大きくすることで、振動や衝撃を適切に減衰することができる。
【００５２】
（４）  駆動部（駆動部１０）と、
前記駆動部の動力によって駆動する作業部（作業部２０）と、
前記駆動部の動力を作業部に伝達する軸（軸３０）と、
前記駆動部と前記作業部との間に配置され、内部に前記軸が挿通する筒部（筒部４０）と、
ハンドル支持部（ハンドル支持部５１）を有するフローティングボックス（フローティングボックス５０）と、
前記ハンドル支持部に支持されたハンドル（ハンドル９０）と、を備える刈払機（刈払機１）であって、
前記刈払機は、前記筒部に設けられた筒部側嵌合部（筒部側嵌合部４１ａ、４２ａ）に嵌合するとともに、前記フローティングボックスに設けられたボックス側嵌合部（ボックス側嵌合部５２）に嵌合する振動吸収部材（振動吸収部材６０）を備え、
前記ボックス側嵌合部の内周面（内周面５２ａ）と、前記振動吸収部材の外周面は、ともに前記軸と直交する方向から見て、テーパ形状を有する、刈払機。
【００５３】
（４）によれば、ハンドル支持部が設けられるフローティングボックスと、駆動部の動力を作業部に伝達する軸が挿通する筒部とが、振動吸収部材を介して嵌合するので、駆動部や作業部から筒部に伝わる振動がハンドルに伝わるのを抑制することができる。
また、ボックス側嵌合部の内周面と、振動吸収部材の外周面は、ともに軸と直交する方向から見て、テーパ形状を有するので、組み付け時において、ボックス側嵌合部に振動吸収部材を嵌合するのが容易となり、生産性が向上する。また、ボックス側嵌合部の内周面と振動吸収部材との空隙を均一にすることができるので、振動吸収性能が低下しない。
【００５４】
（５）  （４）に記載の刈払機であって、
前記振動吸収部材には、軸方向において一方の端面に、リップ部（リップ部６５）が設けられた、刈払機。
【００５５】
（５）によれば、振動吸収部材は、一端側の端面にリップ部が設けられているので、組み付け時において、振動吸収部材を筒部側嵌合部及びボックス側嵌合部に嵌合する方向を容易に視認できる。また、振動吸収部材を誤った方向で筒部側嵌合部に嵌合した場合、振動吸収部材は、リップ部によってボックス側嵌合部に挿入できない。よって、組み付け時において、誤組を防止できる。
【００５６】
（６）  （１）から（５）のいずれかに記載の刈払機であって、
前記ハンドル支持部の中心と前記軸の中心を通る上下面において、前記ボックス側嵌合部と前記振動吸収部材との間には、所定の空隙部（上側空隙部Ｓｕ、下側空隙部Ｓｄ）が設けられている、刈払機。
【００５７】
（６）によれば、ハンドル支持部と軸の中心を通る上下面において、ボックス側嵌合部と振動吸収部材との間には、所定の空隙部を有するので、振動吸収部材の外周部が上下面方向に変形することを許容できる。これにより、複数のリブにかかる応力を低減でき、また、振動がフローティングボックスを介してハンドル部に伝達するのをより低減できる。
【００５８】
（７）  （１）から（６）のいずれかに記載の刈払機であって、
前記フローティングボックスは、前記ハンドル支持部と反対側に、前記軸方向に延びる把持部（把持部５３ａ、５３ｂ）を有する、刈払機。
【００５９】
（７）によれば、作業時以外では、作業者は、把持部を跨ぐように手で握り、刈払機を持って移動することができるので、刈払機の持ち運び性が向上する。
【符号の説明】
【００６０】
１  刈払機
１０  駆動部
２０  作業部
３０  軸
４０  筒部
４１ａ、４２ａ  筒部側嵌合部
５０  フローティングボックス
５１  ハンドル支持部
５２  ボックス側嵌合部
５２ａ  内周面
５３ａ、５３ｂ  把持部
６０  振動吸収部材
６１  内周部
６２  外周部
６２ｕ  上側円弧部
６２ｄ  下側円弧部
６２ｌ  左側連結部（一端側連結部）
６２ｒ  右側連結部（他端側連結部）
６３ｕｌ、６３ｕｒ  上側リブ
６３ｄｌ、６３ｄｒ  下側リブ
６４ｌ  左ストッパー部（一対のストッパー部）
６４ｒ  右ストッパー部（一対のストッパー部）
６５  リップ部
９０  ハンドル
Ｃｌ、Ｃｒ  隙間部
Ｓｕ  上側空隙部
Ｓｄ  下側空隙部
【図１】
2019187147.tif 000003
【図２】
2019187147.tif 000004
【図３】
2019187147.tif 000005
【図４】
2019187147.tif 000006
【図５】
2019187147.tif 000007
【図６】
2019187147.tif 000008
【国際調査報告】
2019187147.tif 000009
2019187147.tif 000010
2019187147.tif 000011
2019187147.tif 000012
2019187147.tif 000013
2019187147.tif 000014
2019187147.tif 000015
2019187147.tif 000016